(57)【要約】【課題】男性性器を目立たなくすることができる下半身用肌着を提供する。【解決手段】下半身用肌着１０は、前身頃１２、後身頃１４および股布１６を備え、それらを構成する生地が縫合または接着等されて一体になっている。下半身用肌着１０は前身頃１２の肌側にクッション部１８を備える。クッション部１８は前身頃１２の脇部２０から中央部２２の付近に配置され、クッション部１８が肌に接する。前身頃１２の中央部２２はクッション部１８を有さず、前身後１２の肌側から見ると窪みとなる。この窪みは男性性器（特に陰茎）の収納部２４になる。【選択図】図１
2020090729.tif 000002
【特許請求の範囲】
【請求項１】
前身頃、後身頃および股布を備えた下半身用肌着であって、
前記前身頃の肌側において、該前身頃の両脇部から中央部近辺までクッション部を備え、該前身頃の肌側におけるクッション部同士の間に男性性器の収納部を形成した下半身用肌着。
【請求項２】
前記クッション部の厚みは前身頃の脇部側よりも中央部側の方が厚くなっている請求項１の下半身用肌着。
【請求項３】
前記クッション部の一部が前身頃に取り付けられている請求項１または２の下半身用肌着。
【請求項４】
前記前身頃および後身頃のウエスト部を一周する弾性体が備えられており、前記クッション部が弾性体に取り付けられていない請求項１から３のいずれかの下半身用肌着。
【請求項５】
前記前身頃および股布が肌側に収縮する請求項１から４のいずれかの下半身用肌着。
【発明の詳細な説明】
【技術分野】
【０００１】
本発明は、男性の身体に適した下半身用肌着に関するものである。
【背景技術】
【０００２】
ＭＴＦ（Male to Female）の性同一性障害者は男性の身体であるが、性自認は女性である。そのため、骨格等の身体的特徴から男性用の衣類を着用すると身体にフィットするが、心理的な理由から女性用の衣類を着用する場合が多い。その場合に、男性性器によって股間が膨らむため、女性用衣類の見た目が損なわれる。そのため、下記特許文献１のように男性性器を股間に押し当てて目立たなくする下半身用肌着が考えられている。
【０００３】
しかし、男性性器が無理矢理股間に押し当てられることで圧迫され、血行が悪くなる場合があり、肉体的に良くない。男性用の肌着を着用すれば問題なくなるが、ＭＴＦの性同一性障害者が男性用の肌着を着用したときに心理的ストレスを受ける場合もある。
【先行技術文献】
【特許文献】
【０００４】
【特許文献１】実用新案登録第３１４３２８５号
【発明の概要】
【発明が解決しようとする課題】
【０００５】
本発明の目的は、男性性器を目立たなくすることができる下半身用肌着を提供することにある。
【課題を解決するための手段】
【０００６】
本発明の下半身用肌着は、前身頃、後身頃および股布を備える。前記前身頃の肌側において、該前身頃の両脇部から中央部近辺までクッション部を備え、該前身頃の肌側におけるクッション部同士の間に男性性器の収納部が形成されている。
【０００７】
前記クッション部の厚みは前身頃の脇部側よりも中央部側の方が厚くなっている。また、前記クッション部の一部が前身頃に取り付けられている。
【０００８】
前記前身頃および後身頃の上端部を一周する弾性体が備えられており、前記クッション部は弾性体に取り付けられていない。
【０００９】
前記前身頃および股布は肌側に収縮する。
【発明の効果】
【００１０】
本発明によると、前身頃にクッション部が備えられたことで、男性性器による前身頃の膨らみが生じにくくなっている。また、男性性器が圧迫されすぎることは無い。本発明は女性用の下半身用肌着に適用することができ、外見上のストレスを感じにくくなっている。
【００１１】
クッション部は前身頃の脇部側から中央部側に向けて徐々に厚くなることで、前身頃に不自然な膨らみができない。クッション部の一部のみが前身頃に取り付けられることで、クッション部が自由に変形できる。クッション部が上端部の弾性体に取り付けられていないので、弾性体の伸縮を制限することもない。
【図面の簡単な説明】
【００１２】
【図１】本願の下半身用肌着の外観を示す図であり、（ａ）は前方より見た外観であり、（ｂ）は後方より見た外眼である。
【図２】前身頃およびクッション部を示す断面図である。
【図３】クッション部の正面図である。
【図４】第２クッション部を分割したクッション部を示す図である。
【図５】徐々に厚みが変化するクッション部を示す図である。
【図６】横方向のつぶし縫い部を有するクッション部を示す図である。
【発明を実施するための形態】
【００１３】
本発明の下半身用肌着について図面を使用して説明する。
【００１４】
図１（ａ）、（ｂ）に示す下半身用肌着１０は、前身頃１２、後身頃１４および股布１６を備え、それらを構成する生地が縫合または接着等されて一体になっている。本願の下半身用肌着１０はノーマルレッグ、ローライズまたはフルバックなどの種々のショーツに適用できる。また、下半身用肌着１０は人の腰部（下腹部）を覆うだけでなく、大腿または中腹部などの腰部の周辺を覆ってもよい。
【００１５】
下半身用肌着１０は前身頃１２の肌側にクッション部１８を備える（図２、図３）。クッション部１８は前身頃１２の脇部２０から中央部２２の付近に配置され、クッション部１８が肌に接する。前身頃１２の中央部２２はクッション部１８を有さない。前身後１２を肌側から見ると、２つのクッション部１２の間は窪みになっている。この窪みは男性性器（特に陰茎）の収納部２４になる。
【００１６】
クッション部１８は袋の中にクッションを入れたものである。袋はコットンの繊維からなる生地で形成されたものが挙げられるが、他の繊維からなる生地を使用してもよい。また、その袋はメッシュ構造の生地で構成されていてもよい。クッションは不織布、発泡ウレタン、羽毛または綿などである。クッション部によって前身頃１２を前方に膨らまし、収納部２４に男性性器を配置することができる。下半身用肌着１０を着用して前方から下半身用肌着１０を見たとき、男性性器によって生じる前身頃１２の膨らみが目立たなくなっている。
【００１７】
クッション部１８は第１クッション部２６と第２クッション部２８を備える。第１クッション部２６は第２クッション部２８の上に重ねられて取り付けられている。第１クッション部２６の周縁部が第２クッション部２８に対して縫合または接着等されている。第１クッション部２６は前身頃１２における中央部側に配置されている。このため、クッション部１８は前身頃１２における脇部側と中央部側で厚みが異なる。クッション部１８の中央部側の厚みは脇部がわの厚みよりも厚い。クッション部１８によって前身頃１２が不自然に膨らみにくくなっており、下半身用肌着１０を着用したときの外見が損なわれにくい。
【００１８】
第２クッション部２８を構成する袋はつぶし縫いによってつぶし縫い部３０が形成されている。このつぶし縫い部３０によって第２クッション部２８は第１領域３２と第２領域３４に分割されている。つぶし縫い部３０は第２クッション部２８を横方向（腰部の周方向）に分割している。２つの領域３２、３４に分けていることで、第２クッション部２８を構成するクッション（不織布等）が偏りにくく、第２クッション部２８の形状が維持されやすい。また、第１クッション部２６と第２クッション部２８に分割していることでも、各クッション部２６、２８を構成する不織布等の偏りが無くなり、クッション部１８の形状が維持されやすい。すなわち、クッション部１８は複数に分割されることでその形状を維持しやすくなっている。
【００１９】
第１領域３２は第２領域３４よりも前身頃１２の中央部側に配置されている。第１領域３２の厚みは第２領域３４の厚みよりも厚くなっている。このため、クッション部１８は前身頃１２の脇部２０から中央部２２に向けて徐々に膨らんでいる。正面から前身頃１２を見た時に、前身頃１２が不自然に膨らまない。前身頃１２にクッション部１８を備えられていることがわかりにくい。
【００２０】
前身頃１２は表地３６と裏地３８で構成されている。前身頃１２の表地３６と裏地３８は少なくともそれらの上端部同士が取り付けられる。
【００２１】
前身頃１２の裏地３８は伸縮性の生地を使用し、たとえば裏地３８はポリウレタン繊維を含むパワーネットまたはサテンネットである。下半身用肌着１０を着用したときに裏地３８が肌側に収縮しようとする。下半身用肌着１０を着用すると、男性性器を肌に押さえつけるように裏地３８が収縮する。クッション部１８があるため、男性性器を押さえつけすぎない。裏地３８がクッション部１８および男性性器を適度に押さえつけ、前身頃１２に不自然な盛り上がりを生じさせない。
【００２２】
前身頃１２および後身頃１４の上端部（ウエスト）は弾性体４０を設けている。たとえば、弾性体４０は上端部を一周するゴムである。この弾性体４０は下半身用肌着１０が人の腰部からずれ下がることを防止している。
【００２３】
クッション部１８の外周部の一部が前身頃１２に取り付けられている。たとえば、図３に示すようにクッション部１８の角４２ａ、４２ｂ、４２ｃ、４２ｄ、４２ｅが前身頃１２に縫合または接着等で取り付けられている。クッション部１８の外周部全体が前身頃１２に取り付けられているのではない。体を動かしたときに、クッション部１８が変形しやすい。前身頃１２の裏地３８に取り付けられてもよいし、裏地３８と表地３６の両方に一緒に取り付けられてもよい。さらに、クッション部１８は前身頃１２の上端部に設けられた弾性体４０より下方に取り付けられる。クッション部１２を構成する袋が伸縮性を有しない場合、その袋が弾性体４０に取り付けられていないので、弾性体４０の伸縮は制限されない。
【００２４】
股布１６は伸縮性の生地を使用する。たとえば股布１６はパワーネットまたはサテンネットである。前身頃１２の裏地３８と股布１６は一体になっていてもよいし、別々の生地で構成されていてもよい。股布１６が男性性器（特に陰嚢）を股間に押し付ける。たとえば、前身頃１２の裏地３８と股布１６が弾性体４０から股布１６に向かう方向（図１の矢印Ｙ）に伸縮する。前身頃１２の裏地３８と股布１６で男性性器を包み込み、男性性器を肌側に押し付ける。
【００２５】
下半身用肌着１０の裾部４４は弾性体（ゴム）を取り付けている。下半身用肌着１０の着用時に、裾部４４が腰部と大腿の境付近に密着する。男性性器が下半身用肌着１０からはみ出しにくくなっている。なお、裾部４４を一周するように弾性体が取り付けられてもよいし、裾部４４における臀部の部分（後見頃１４）のみに弾性体が取り付けられてもよい。
【００２６】
上記しなかった前身頃１２の表地３６および後身頃１４の生地はポリエステル、ポリウレタン、コットン、ナイロンなどの繊維からなる生地を使用する。また、それらの伸縮性の有無は限定されない。さらに、後見頃１４および股布１６を表地と裏地の二重構造にしてもよい。下半身用肌着１０の各部の色や模様などは特に限定されない。また、弾性体４０のある部分や袖部４４にストレッチレースなどを取り付けも良い。
【００２７】
以上のように本願の下半身用肌着１０は、男性性器を必要以上に圧迫することなく、男性性器による膨らみがわかりにくくしている。外見上は女性用の肌着であり、心理的なストレスを感じにくくなっている。本願はＦＴＭの男性のみが使用できるのではなく、男性が女性用の衣類を着て仮装をするときに使用することもできる。
【００２８】
以上、本願の一実施形態について説明したが、本願は上記の実施形態に限定されるものではない。たとえば、第２クッション部２８の２つの領域３２、３４は同じ厚みであっても良い。第２クッション部２８を２つの領域３２、３４に分割することに限定されず、第２クッション部２８はさらに複数の領域に分割されてもよい。また、第１クッション部２６も複数の領域に分割されても良い。
【００２９】
第２クッション部２８はつぶし縫い部３０によって複数に分割することに限定されない。たとえば、図４のクッション部４６のように、第２クッション部２８が物理的に複数に分かれたものであってもよい。
【００３０】
図５のクッション部４８のように、複数に分割されていないクッション部４８であっても良い。たとえば、柔軟性の有る発泡性ウレタンを所望形状に形成し、１つの袋に収納することでクッション部４８を形成する。クッション部４８の厚みは脇部２０から中央部２０に向けて徐々に厚くなっている。クッション部１８、４６、４８は、脇部２０から中央部２０に向けて厚くなれば、どのような構成であっても良い。
【００３１】
また、図６のクッション部５０のように、縦方向（弾性体４０から裾部４４に向かう方向）を向いたつぶし縫い部３０だけでなく、横方向（両脇部２０を結ぶ方向）を向いたつぶし縫い部５２を備えても良い。大腿が腰部に対して折れ曲がった状態になった時、クッション部５０はつぶし縫い部５２に沿って折れ曲がる。クッション部５０は着用者に違和感をいだかせにくい。
【００３２】
前身頃１２の裏地３６にパワーネットまたはサテンネットなどの伸縮性の生地を使用したが、前身頃１２の表地３４がパワーネットまたはサテンネットなどの伸縮性の生地であってもよい。この場合に、表地３４だけにして裏地３６を使用しないこと、すなわち前身頃１２をパワーネットまたはサテンネットのみで構成してもよい。
【００３３】
その他、本発明は、その主旨を逸脱しない範囲で当業者の知識に基づき種々の改良、修正、変更を加えた態様で実施できるものである。
【符号の説明】
【００３４】
１０：下半身用肌着
１２：前身頃
１４：後身頃
１６：股布
１８、４６、４８、５０：クッション部
２０：脇部
２２：中央部
２４：収納部
２６：第１クッション部
２８：第２クッション部
３０、５２：つぶし縫い部
３２：第２クッション部の第１領域
３４：第２クッション部の第２領域
３６：前身頃の表地
３８：前身頃の裏地
４０：弾性体
４２ａ、４２ｂ、４２ｃ、４２ｄ、４２ｅ：クッション部の角
４４：裾部
【図１】
2020090729.tif 000003
【図２】
2020090729.tif 000004
【図３】
2020090729.tif 000005
【図４】
2020090729.tif 000006
【図５】
2020090729.tif 000007
【図６】
2020090729.tif 000008
【手続補正書】
【提出日】令和1年7月10日(2019.7.10)
【手続補正１】
【補正対象書類名】特許請求の範囲
【補正対象項目名】全文
【補正方法】変更
【補正の内容】
【特許請求の範囲】
【請求項１】
前身頃、後身頃および股布を備えた下半身用肌着であって、
前記前身頃の肌側において、該前身頃の両脇部から中央部近辺までクッション部を備え、該クッション部の厚みは該前身頃の脇部側よりも中央部側の方が厚くなっており、該前身頃の肌側におけるクッション部同士の間に男性性器の収納部を形成した下半身用肌着。
【請求項２】
前記クッション部の一部が前身頃に取り付けられている請求項１の下半身用肌着。
【請求項３】
前記前身頃および後身頃のウエスト部を一周する弾性体が備えられており、前記クッション部が弾性体に取り付けられていない請求項１または２の下半身用肌着。
【請求項４】
前記前身頃および股布が肌側に収縮する請求項１から３のいずれかの下半身用肌着。